(57)【要約】【課題】チャイルドロックの解除時に大人が不快な思いをすることなく、子供が安易にチャイルドロックを解除することができないリモコン装置を提供する。【解決手段】浴室リモコン２１がチャイルドロック中であるか否かを判定する（ステップＳ１）。そして、チャイルドロック中であると判定された場合には、浴室リモコン２１の操作部２３によってチャイルドロックの解除操作が行われたか否かを判定する（ステップＳ２）。そして、チャイルドロックの解除操作が行われていない場合には、チャイルドロックが継続される（ステップＳ３）。一方、チャイルドロックの解除操作が行われたと判定された場合には、高周波のモスキート音とチャイルドロック中であることを報知する報知音をスピーカ２４から発するとともに（ステップＳ４）、チャイルドロック中であることを表示部２２に表示する（ステップＳ５）。【選択図】図３
2013170784.tif 000002
【特許請求の範囲】
【請求項１】
対象機器の動作を制御するための指令を入力するリモコン装置において、
前記リモコン装置に入力される指令を無効化するチャイルドロックの設定、解除を行うロック手段と、
前記チャイルドロックが設定された状態で前記リモコン装置が操作された場合に、所定の高周波音を発する高周波音発生手段と、
を備えることを特徴とするリモコン装置。
【請求項２】
前記高周波音発生手段は、前記ロック手段によりチャイルドロックの解除操作を行う場合に、前記高周波音を発することを特徴とする請求項１記載のリモコン装置。
【請求項３】
前記高周波音は、１５〜１７ｋＨｚの周波数帯に属する音であることを特徴とする請求項１または２記載のリモコン装置。
【請求項４】
前記リモコン装置は、浴室に設置された浴室リモコンであり、
前記ロック手段は、前記浴室リモコンとは別の箇所に設置された他のリモコンに実装されていることを特徴とする請求項１乃至３の何れか１項記載のリモコン装置。
【請求項５】
前記他のリモコンは表示部を備え、
前記ロック手段によるチャイルドロックの設定状態を前記表示部に表示する表示手段を更に備えることを特徴とする請求項４記載のリモコン装置。
【請求項６】
前記チャイルドロックが設定された状態で前記リモコン装置が操作された場合に、前記チャイルドロック中であることを報知する報知手段を更に備えることを特徴とする請求項１乃至５の何れか１項記載のリモコン装置。
【請求項７】
前記リモコン装置は表示部を備え、
前記報知手段は、前記チャイルドロックが設定された状態で前記リモコン装置が操作された場合に、前記チャイルドロック中であることを前記表示部に表示する手段を含むことを特徴とする請求項６記載のリモコン装置。
【請求項８】
前記報知手段は、前記チャイルドロックが設定された状態で前記リモコン装置が操作された場合に、報知音を発する手段を含むことを特徴とする請求項６または７記載のリモコン装置。
【発明の詳細な説明】
【技術分野】
【０００１】
本発明は、リモコン装置に係り、特にチャイルドロック機能を有するリモコン装置に関する。
【背景技術】
【０００２】
従来、例えば、特許文献１には、チャイルドロック中にスイッチ操作が行われた場合に、チャイルドロック中であることを警報音と表示状態の変化で使用者に知らせることができる暖房機器が開示されている。
【先行技術文献】
【特許文献】
【０００３】
【特許文献１】特開２００１−９９４８９号公報
【発明の概要】
【発明が解決しようとする課題】
【０００４】
しかしながら、上記従来の技術では、チャイルドロックが設定されている場合に解除操作を行うと警報音が発せられるため、大人が不快な思いをするという課題を有している。また、チャイルドロック中の子供の操作によって警報音が発せられたとしても、その警報音の種類によっては子供が不快に思わないことも想定され、この場合、いたずら半分に適当な操作を継続することにより偶然にチャイルドロックが外れるおそれがある。
【０００５】
本発明は、上述のような課題を解決するためになされたもので、チャイルドロックの解除時に大人が不快な思いをすることなく、子供が安易にチャイルドロックを解除することができないリモコン装置を提供することを目的とする。
【課題を解決するための手段】
【０００６】
本発明に係るリモコン装置は、対象機器の動作を制御するための指令を入力するリモコン装置において、リモコン装置に入力される指令を無効化するチャイルドロックの設定、解除を行うロック手段と、チャイルドロックが設定された状態でリモコン装置が操作された場合に、所定の高周波音を発する高周波音発生手段と、を備えるものである。
【発明の効果】
【０００７】
本発明の浴室用リモコン装置によれば、チャイルドロックの解除時に大人が不快な思いをすることなく、子供が安易にチャイルドロックを解除することができないリモコン装置を提供することが可能となる。
【図面の簡単な説明】
【０００８】
【図１】本発明の実施の形態１におけるヒートポンプ給湯システムの構成図である。
【図２】本発明の実施の形態１における浴室リモコンの斜視図である。
【図３】本発明の実施の形態１において実行されるルーチンのフローチャートである。
【発明を実施するための形態】
【０００９】
以下、図面を参照して本発明の実施の形態について説明する。尚、この実施の形態により本発明が限定されるものではない。
【００１０】
実施の形態１．
[実施の形態１の構成]
図１は、本発明の実施の形態１におけるヒートポンプ給湯システムの構成図である。図１に示すように、本実施形態のヒートポンプ給湯システムは、タンクユニット１と、ヒートポンプユニット２とを備えている。タンクユニット１には、貯湯タンク７と、給湯機制御装置（制御基板）１１とが内蔵されている。貯湯タンク７の下部には、貯湯タンク７内に市水を導入するための入水側配管８が接続されている。貯湯タンク７は、市水往き配管４および温水戻り配管３を介して、熱源であるヒートポンプユニット２と接続されている。貯湯タンク７の上部には、貯湯タンク７内に貯えられた高温水を外部へ供給するための給湯側配管９が接続されている。給湯機制御装置１１は、通信線５を介してヒートポンプユニット２と接続されている。給湯機制御装置１１に対しては、通信線６を介して複数のリモコン装置が接続可能になっている。本実施形態では、浴室に設置される浴室リモコン２１と、台所に設置される台所リモコン４１と、例えば二世帯住宅の二番目の台所などに設置される増設リモコン４２との３台のリモコン装置が通信線６を介して給湯機制御装置１１に接続されている。
【００１１】
貯湯タンク７に貯められた市水は、市水往き配管４を通って、ヒートポンプユニット２に送られる。ヒートポンプユニット２では、図中省略している熱交換器によって市水が加熱されて高温水となる。高温水は、温水戻り配管３を通って、貯湯タンク７に戻される。このような加熱動作においては、通信線６を通じて浴室リモコン２１、台所リモコン４１あるいは増設リモコン４２から給湯機制御装置１１に送信される指示に基づき、給湯機制御装置１１が通信線５を通じてヒートポンプユニット２を制御する。
【００１２】
図２は、本発明の実施の形態１における浴室リモコンの斜視図である。尚、ここでは代表して浴室リモコン２１について記述するが、台所リモコン４１、増設リモコン４２についても同様である。図２に示すように、浴室リモコン２１は、浴室の壁に設置される。浴室リモコン２１には、外部を覆うケース２０の正面側に表示部２２、操作部２３、およびスピーカ２４が設けられている。表示部２２には、例えば給湯温度、ふろ温度、貯湯タンク７の内部温度、残湯量などの他、チャイルドロックの状態が表示される。また、操作部２３を操作することにより、貯湯タンク７の沸き上げ目標温度の変更や、表示部２２の表示内容の切り替えなどの他、チャイルドロックの設定や解除を行うことができる。尚、チャイルドロックの操作は、例えば、操作部２３の所定の釦を数秒間長押しすることで設定或いは解除を行うことができる。スピーカ２４は、操作部２３の操作時の操作音の他、後述するモスキート音や報知音を発生させることができる。
【００１３】
浴室リモコン２１は、モスキート音と呼ばれる高周波音をスピーカ２４から発生させる機能を有している。モスキート音は、子供には不快な音として聞こえるが大人には聞こえ難いとされる周波数帯（例えば、１５ｋＨｚ〜１７ｋＨｚ）の高周波音によって構成されている。本実施の形態１のシステムでは、浴室リモコン２１のチャイルドロックが設定されている場合に、当該チャイルドロックの解除を試みるとモスキート音が発せられることに特徴を有している。これにより、大人に不快な思いをさせることなく子供による浴室リモコン２１の操作継続を抑止させることとしている。以下、フローチャートを参照して、本実施の形態１のシステムによって実行される動作の具体的処理について説明する。
【００１４】
図３は、本発明の実施の形態１のシステムにおいて実行されるルーチンのフローチャートである。図３に示すルーチンでは、先ず、浴室リモコン２１がチャイルドロック中であるか否かが判定される（ステップＳ１）。その結果、チャイルドロック中でないと判定された場合には、本ルーチンは速やかに終了される。一方、上記ステップＳ１において、チャイルドロック中であると判定された場合には、次のステップに移行し、浴室リモコン２１の操作部２３によってチャイルドロックの解除操作が行われたか否かが判定される（ステップＳ２）。その結果、チャイルドロックの解除操作が行われていない場合には、次のステップに移行し、チャイルドロックが継続され（ステップＳ３）、本ルーチンは終了される。一方、上記ステップＳ２において、チャイルドロックの解除操作が行われたと判定された場合には、次のステップに移行し、モスキート音とチャイルドロック中であることを報知する報知音がスピーカ２４から発せられるとともに（ステップＳ４）、チャイルドロック中であることの表示が表示部２２に表示される（ステップＳ５）。
【００１５】
次に、チャイルドロックの解除条件が成立したか否かが判定される（ステップＳ６）。ここでは、具体的には、モスキート音および報知音が発せられている状態でチャイルドロックの解除操作（例えば操作部２３の釦の長押し操作）が完了したか否かが判定される。その結果、チャイルドロックの解除条件が成立していない、すなわち解除操作を途中で断念した場合には、子供等による意図せぬ操作であったと判断されて、チャイルドロックを解除することなく本ルーチンは終了される。一方、上記ステップＳ６において、チャイルドロックの解除条件が成立した場合には、大人等による真の解除要求であると判断されて、次のステップに移行し、チャイルドロックの解除が行われる（ステップＳ７）。
【００１６】
以上説明したとおり、本実施の形態１のシステムによれば、浴室リモコン２１のチャイルドロックが設定されている場合において、当該チャイルドロックの解除動作時にモスキート音が発せられる。これにより、真の操作を行う大人に対しては、操作の妨げになるような不快な思いをさせることはなく、ロック解除を試みる子供に対しては、有効に警告を発して解除操作を断念させることが可能となる。また、本実施の形態１のシステムによれば、モスキート音とともに報知音や表示部２２への表示を行うこととしているため、子供によるチャイルドロックの解除を多面的に抑止することができる。
【００１７】
ところで、上述した実施の形態のシステムでは、浴室リモコン２１のチャイルドロックの設定／解除を行う際の動作について説明したが、台所リモコン４１や増設リモコン４２等の他のリモコンに対して同様の制御を適用してもよい。
【００１８】
また、上述した実施の形態のシステムでは、浴室リモコン２１のチャイルドロックの設定／解除を行う際に、当該浴室リモコン２１の操作部２３の操作によって行うこととしているが、自身の操作部２３に替えて、台所リモコン４１等の子供が操作し難いリモコンの操作部に、浴室リモコン２１のチャイルドロックの設定／解除の機能を持たせることとしてもよい。これにより、子供によるチャイルドロックの解除を有効に抑止することが可能となる。また、上記構成を適用する場合には、チャイルドロック中であることの表示を当該台所リモコン４１の表示部にも表示することが好ましい。これにより、チャイルドロックの設定有無を台所リモコン４１でも確認することが可能となる。
【００１９】
また、上述した実施の形態のシステムでは、チャイルドロックの解除操作を試みた場合にモスキート音が発せられることとしているが、チャイルドロック中に操作部２３が操作された場合には、その操作内容に係わらずモスキート音を発することとしてもよい。これにより、子供による操作部２３の操作を幅広く抑止することができる。
【００２０】
また、上述した実施の形態のシステムでは、チャイルドロックの解除操作を試みた場合にモスキート音と報知音が発せられることとしているが、報知音はなくてもよいし、また、報知音の替わりにバイブレーション機能により操作者に振動を与える構成でもよい。これにより、子供によるチャイルドロックの解除を多面的に抑止することが可能となる。
【符号の説明】
【００２１】
２１  浴室リモコン（リモコン装置）
２２  表示部
２３  操作部
２４  スピーカ
４１  台所リモコン（リモコン装置）
【図１】
2013170784.tif 000003
【図２】
2013170784.tif 000004
【図３】
2013170784.tif 000005